【手続補正書】
【提出日】平成25年10月11日(2013.10.11)
【手続補正１】
【補正対象書類名】特許請求の範囲
【補正対象項目名】全文
【補正方法】変更
【補正の内容】
【特許請求の範囲】
【請求項１】
薬剤を投与するための装置であって、前記装置は、
底部表面と薬剤を中に収容する注射器とを有する下部ハウジングと、
本体を備える中部ハウジングと、
前記中部ハウジングに移動可能に装着される上部ハウジングであって、第１のポジションにおいて、前記中部ハウジングの隣接する部分に部分的に重なることを特徴とする上部ハウジングと、
前記上部ハウジングに装着されたプランジャロッドであって、前記上部ハウジングの前記第１のポジションから第２のポジションへの移動により前記プランジャロッドを前記注射器に関して前進させ、これにより前記注射器が前記薬剤を送達することとなるプランジャロッドと、
を備え、
前記薬剤の実質的にすべてが送達されたとき、前記上部ハウジングは前記中部ハウジングの本体を実質的に完全にカバーする、装置。
【請求項２】
前記下部ハウジングは針ガードを更に備え、前記針ガードは、前記下部ハウジングの底部表面が皮膚表面に押し付けられたとき、上向きに移動して針を露出させる、請求項１に記載の装置。
【請求項３】
前記針ガードは、前記下部ハウジングの底部表面が皮膚表面から取り除かれたとき、前記針ガードを延出させて前記針に被せることが可能な針ガード復帰部を更に備える、請求項２に記載の装置。
【請求項４】
前記下部ハウジングは、その近位端部にある第１の表面を更に備え、前記第１の表面は、前記薬剤の送達が実質的に完了したとき、前記上部ハウジングの遠位端部を含む第２の表面と相補的でありかつ嵌合する、請求項１に記載の装置。
【請求項５】
前記下部ハウジングは、その中に少なくとも１つの窓を更に備え、前記窓を通じて前記注射器の遠位端部が視認可能である、請求項１に記載の装置。
【請求項６】
前記上部ハウジングに下向きの力を加えることが可能な補助駆動器を更に備える、請求項１に記載の装置。
【請求項７】
前記上部ハウジングは、前記上部ハウジングの中にありかつ前記上部ハウジングに固定的に装着された筒形スリーブを更に備え、前記筒形スリーブの遠位部分は前記中部ハウジング内に収容され、前記遠位部分は補助駆動器を有する、請求項１に記載の装置。
【請求項８】
前記下部ハウジングは、薬剤送達が実質的に完了したことを示すためのクリッカを更に備える、請求項１に記載の装置。
【請求項９】
前記下部ハウジングに関し前記上部ハウジングが移動することを防ぐグリップラッチを更に備え、ここにおいて、前記針ガードがその上向きの移動を終えたとき、前記針ガードは前記グリップラッチに接触して前記グリップラッチを外側へそらせることとなり、前記上部ハウジングが下向きに移動可能となることを特徴とする請求項２に記載の装置。
【請求項１０】
前記グリップラッチは、前記下部ハウジングの一部であることを特徴とする請求項９に記載の装置。
【請求項１１】
薬剤の注入が完了した後に、前記針ガードが引っ込むことを防止する針ガードロックを更に備えたことを特徴とする請求項３に記載の装置。
【請求項１２】
薬剤を投与するための装置であって、前記装置は、
針を装着された注射器を固定的に収容するように構成された下部ハウジングと、
前記下部ハウジングに移動可能に装着された上部ハウジングであって、当該上部ハウジングに装着されたプランジャロッドを有する、上部ハウジングと、
前記下部ハウジングに向かって前記上部ハウジングを移動させる付勢力を生じるための付勢要素と、を備え、
前記付勢要素の前記付勢力は、前記注射器が前記注射器の中に一定量の液体を有するとき、前記上部ハウジングに対する外力の適用がなければ、前記下部ハウジングに対して前記上部ハウジングを移動させるのに不十分なものである、装置。
【請求項１３】
前記付勢要素のバネの前記付勢力は、送達が意図される前記薬剤の粘度に比例して設定される、請求項１２に記載の装置。
【請求項１４】
薬剤を投与するための装置であって、前記装置は、
底部表面と薬剤を中に収容する注射器とを有する下部ハウジングであって、前記下部ハウジングの底部表面が皮膚表面に押し付けられたとき、上向きに移動して針を露出させる針ガードを更に有する下部ハウジングと、
前記下部ハウジングに関して移動するよう構成された上部ハウジングと、
前記上部ハウジングに固定的に接続されたプランジャロッドであって、前記上部ハウジングが前記下部ハウジングに関して下方に移動したとき、前記プランジャロッドの下向きの移動によって前記注射器の中の薬剤が前記針を通って送達されるように構成されたプランジャロッドと、
前記上部ハウジングが前記下部ハウジングに関して移動するのを防ぐハウジングラッチと、
を備え、
前記針ガードがその上向きの移動を終えたとき、前記針ガードは前記ハウジングラッチに接触して前記ハウジングラッチを外側へそらせることとなり、前記上部ハウジングが下向きに移動可能となることを特徴とする装置。
【請求項１５】
本体を備える中部ハウジングを更に備え、前記上部ハウジングは、弛緩した位置にあるときは前記中部ハウジング本体の隣接する部分に部分的に重なるように、移動可能に前記中部ハウジングに装着され、前記薬剤のすべてが実質的に送達されたとき、前記上部ハウジングは前記下部ハウジングの本体を実質的に完全にカバーすることを特徴とする請求項１４に記載の装置。
【請求項１６】
前記針ガードは、前記ハウジングラッチの端部を形成する傾斜面に接触する傾斜面を有し、これによって前記ハウジングラッチが外側へそらされることを特徴とする請求項１４に記載の装置。
【請求項１７】
前記ハウジングラッチは、前記下部ハウジングの部分であることを特徴とする請求項１６に記載の装置。
【請求項１８】
薬剤を投与するための装置であって、前記装置は、
薬剤を中に収容する注射器と針とを有する下部ハウジングと、
クリックラッチ捕捉スロットを規定する中部ハウジングと、
前記中部ハウジングに移動可能に装着された上部ハウジングと、
前記上部ハウジングに固定的に接続されたプランジャロッドであって、前記上部ハウジングが前記中部ハウジングに関して下向きに移動したとき、前記プランジャロッドの下向きの移動によって前記針を通って前記注射器の中の前記薬剤を送達するよう構成されたプランジャロッドと、
薬剤送達の終わりに前記捕捉スロットによって永続的に捕捉されるクリックラッチと、
を備える装置。
【請求項１９】
前記中部ハウジングは本体を備え、上部ハウジングは、弛緩した位置にあるときは前記中部ハウジング本体の隣接する部分に部分的に重なるように、移動可能に前記中部ハウジングに装着され、前記薬剤のすべてが実質的に送達されたとき、前記上部ハウジングは前記下部ハウジングの本体を実質的に完全にカバーすることを特徴とする請求項１８に記載の装置。
【請求項２０】
前記クリックラッチは、前記上部ハウジングに装着されたことを特徴とする請求項１９に記載の装置。
【請求項２１】
前記クリックラッチは、前記クリックラッチが前記捕捉スロットの中にすべり込むとクリック音を発生することを特徴とする請求項２０に記載の装置。
【請求項２２】
前記下部ハウジングは、針ガードを更に備え、前記針ガードは、下部ハウジングの底部表面が皮膚表面に押し付けられたとき、上向きに移動して前記針を露出させることを特徴とする請求項１８に記載の装置。
【請求項２３】
前記下部ハウジングに関し前記上部ハウジングが移動することを防ぐハウジングラッチを更に備え、ここにおいて、前記針ガードがその上向きの移動を終えたとき、前記針ガードは前記ハウジングラッチに接触して前記ハウジングラッチを外側へそらせることとなり、前記上部ハウジングが下向きに移動可能となることを特徴とする請求項２２に記載の装置。